(57)【特許請求の範囲】
【請求項１】
１／ｆゆらぎ信号を発生するゆらぎ発生手段と、
ディジタル信号を再生する再生系と、
上記ディジタル信号をアナログ信号に変換するディジタル／アナログ変換手段とを備え、
上記ディジタル／アナログ変換手段は、上記ゆらぎ発生手段で発生された１／ｆゆらぎ信号に基づいて、上記再生系で再生されたディジタル信号の量子化幅に１／ｆゆらぎを与えてディジタル／アナログ変換特性を制御することを特徴とするディジタル信号再生装置。
【請求項２】
上記量子化幅を設定する設定手段を備え、
上記設定された量子化幅に１／ｆゆらぎを与えることを特徴とする請求項１に記載のディジタル信号再生装置。
【請求項３】
上記ディジタル／アナログ変換手段は、上記ゆらぎ発生手段で発生した１／ｆゆらぎ信号に基づいて、上記アナログ信号のサンプリング間隔に１／ｆゆらぎを与えて上記ディジタル／アナログ変換特性を制御することを特徴とする請求項１に記載のディジタル信号再生装置。
【請求項４】
上記サンプリング間隔を設定する設定手段を備え、
ディジタル／アナログ変換手段は、設定されたアナログ信号のサンプリング間隔に１／ｆゆらぎを与えることを特徴とする請求項３に記載のディジタル信号装置。
【請求項５】
１／ｆゆらぎのレベルを設定する設定手段を備え、
上記ゆらぎ発生手段は、上記設定手段の設定に基づいて、レベルの調整された１／ｆ揺らぎ信号を発生することを特徴とする請求項１に記載のディジタル信号発生装置。
【請求項６】
上記ゆらぎ発生手段は、記録媒体に記録されたゆらぎデータに基づいて上記１／ｆゆらぎ信号を発生することを特徴とする請求項１に記載のディジタル信号再生装置。
【請求項７】
記録媒体に記録されたゆらぎのデータに基づいて、１／ｆａ（１＜ａ＜２）ゆらぎ信号を発生するゆらぎ発生手段と、
ディジタル信号を再生する再生系と、
上記ディジタル信号をアナログ信号に変換するディジタル／アナログ変換手段とを備え、
上記ディジタル／アナログ変換手段は、上記ゆらぎ発生手段で発生された１／ｆａ（１＜ａ＜２）ゆらぎ信号に基づいて、上記再生系で再生されたディジタル信号の量子化幅に１／ｆａのゆらぎを与えてディジタル／アナログ変換特性を制御することを特徴とするディジタル信号再生装置。
【請求項８】
上記ゆらぎ発生手段は、記録媒体に記録されている自然界の１／ｆゆらぎのデータに基づいて１／ｆゆらぎ信号を発生することを特徴とする請求項１に記載のディジタル信号再生装置。
【請求項９】
１／ｆゆらぎ信号を発生し、
ディジタル信号を再生し、
１／ｆゆらぎ信号に基づいて量子化幅に１／ｆゆらぎを与えることによって、ディジタル／アナログ変換特性を制御して上記再生されたディジタル信号をアナログ信号に変換することを特徴とするディジタル信号再生方法。
【請求項１０】
上記量子化幅を設定し、
上記設定された量子化幅に１／ｆゆらぎを与えることによって、上記ディジタル／アナログ変換特性を制御することを特徴とする請求項９に記載のディジタル信号再生方法。
【請求項１１】
上記発生された１／ｆゆらぎ信号に基づいて上記アナログ信号のサンプリング間隔にゆらぎを与えることによって、上記ディジタル／アナログ変換特性を制御することを特徴とする請求項９に記載のディジタル信号再生方法。
【請求項１２】
上記サンプリング間隔を設定し、
設定されたアナログ信号のサンプリング間隔に上記１／ｆゆらぎを与えることによって、上記ディジタル／アナログ変換特性を制御することを特徴とする請求項１１に記載のディジタル信号再生方法。
【請求項１３】
１／ｆゆらぎのレベルを設定し、
上記設定したゆらぎのレベルに基づいて、レベルの調整された１／ｆゆらぎ信号を発生することを特徴とする請求項９に記載のディジタル信号再生方法。
【請求項１４】
記録媒体に記録されたゆらぎデータに基づいて、上記１／ｆゆらぎ信号を発生することを特徴とする請求項９に記載のディジタル信号発生方法。
【請求項１５】
記録媒体に記録されたゆらぎデータに基づいて、１／ｆａ（１＜ａ＜２）ゆらぎ信号を発生し、
ディジタル信号を再生し、
１／ｆaゆらぎ信号に基づいて量子化幅に１／ｆａゆらぎを与えることによって、ディジタル／アナログ変換特性を制御して上記再生されたディジタル信号をアナログ信号に変換することを特徴とするディジタル信号再生方法。
【請求項１６】
記録媒体に記録された自然界の１／ｆゆらぎデータに基づいて、１／ｆゆらぎ信号を発生することを特徴とする請求項９に記載のディジタル信号再生方法。
【請求項１７】
１／ｆゆらぎ信号を発生するゆらぎ発生手段と、
発生された１／ｆゆらぎ信号に基づいて、アナログ信号の量子化幅に１／ｆゆらぎを与えてアナログ／ディジタル変換特性を制御して、アナログ信号をディジタル信号に変換するアナログ／ディジタル変換手段と、
上記ディジタル信号を記録媒体に記録する記録系とを備えるディジタル信号記録装置。
【請求項１８】
上記ゆらぎ発生手段で発生された１／ｆゆらぎ信号に基づいて入力されたアナログ信号のサンプリング間隔に１／ｆゆらぎを与え、上記アナログ信号をサンプルホールドするサンプルホールド手段を備え、
上記アナログ／ディジタル変換手段は、上記サンプルホールド手段でサンプルホールドされたアナログ信号をディジタル信号に変換することを特徴とする請求項１７に記載のディジタル信号記録装置。
【請求項１９】
上記量子化幅を設定する設定手段を備え、
上記設定された量子化幅に１／ｆゆらぎを与えることを特徴とする請求項１７に記載のディジタル信号記録装置。
【請求項２０】
上記サンプリング間隔を設定する設定手段を備え、
上記サンプルホールド手段は、設定されたアナログ信号のサンプリング間隔に１／ｆゆらぎを与えることを特徴とする請求項１８に記載のディジタル信号記録装置。
【請求項２１】
１／ｆａ（１＜ａ＜２）ゆらぎ信号を発生するゆらぎ発生手段と、
発生された１／ｆａ（１＜ａ＜２）ゆらぎ信号に基づいて、アナログ信号の量子化幅に１／ｆａ（１＜ａ＜２）ゆらぎを与えてアナログ／ディジタル変換特性を制御して、アナログ信号をディジタル信号に変換するアナログ／ディジタル変換手段と、
上記ディジタル信号を記録媒体に記録する記録系とを備えるディジタル信号記録装置。
【請求項２２】
１／ｆゆらぎのレベルを設定する設定手段を備え、
上記ゆらぎ発生手段は、上記設定手段の設定に基づいて、レベルの調整された１／ｆゆらぎ信号を発生することを特徴とする請求項１７に記載のディジタル信号記録装置。
【請求項２３】
１／ｆゆらぎ信号を発生し、
発生された１／ｆゆらぎ信号に基づいて、アナログ信号の量子化幅に１／ｆゆらぎを与えてアナログ／ディジタル変換特性を制御して、アナログ信号をディジタル信号に変換し、上記ディジタル信号を記録媒体に記録することを特徴とするディジタル信号記録方法。
【請求項２４】
発生された１／ｆゆらぎ信号に基づいて入力されたアナログ信号のサンプリング間隔に１／ｆゆらぎを与え、上記アナログ信号をサンプルホールドし、サンプルホールドされたアナログ信号をディジタル信号に変換することを特徴とする請求項２３に記載のディジタル信号記録方法。
【請求項２５】
上記サンプリング間隔を設定し、設定されたアナログ信号のサンプリング間隔に１／ｆゆらぎを与えることを特徴とする請求項２４に記載のディジタル信号記録方法。
【請求項２６】
上記量子化幅を設定し、
上記設定された量子化幅に１／ｆゆらぎを与えることを特徴とする請求項２３に記載のディジタル信号記録方法。
【請求項２７】
１／ｆａ（１＜ａ＜２）ゆらぎ信号を発生し、
発生された１／ｆａ（１＜ａ＜２）ゆらぎ信号に基づいて、アナログ信号の量子化幅に１／ｆa（１＜ａ＜２）ゆらぎを与えてアナログ／ディジタル変換特性を制御して、アナログ信号をディジタル信号に変換し、上記ディジタル信号を記録媒体に記録することを特徴とするディジタル信号記録方法。
【請求項２８】
１／ｆゆらぎのレベルを設定し、設定に基づいてレベルの調整された１／ｆゆらぎ信号を発生することを特徴とする請求項２３に記載のディジタル信号記録方法。
【請求項２９】
１／ｆゆらぎ信号を発生し、ディジタル信号を再生し、上記１／ｆゆらぎ信号に基づいて量子化幅に１／ｆゆらぎを与えてディジタル／アナログ変換特性を制御して上記再生されたディジタル信号をアナログ信号に変換するためのプログラムが記録されていることを特徴とする記録媒体。
【請求項３０】
上記発生された１／ｆゆらぎ信号に基づいて上記アナログ信号のサンプリング期間にゆらぎを与えて上記ディジタル／アナログ変換特性を制御するためのプログラムが記録されていることを特徴とする請求項２９に記載の記録媒体。
【請求項３１】
１／ｆゆらぎ信号を発生し、発生された１／ｆゆらぎ信号に基づいてアナログ／ディジタル変換特性を制御して、アナログ信号をディジタル信号に変換し、変換されたディジタル信号を記録媒体に記録するためのプログラムが記録されていることを特徴とする記録媒体。
【請求項３２】
発生された１／ｆゆらぎ信号に基づいて上記アナログ信号の量子化幅に１／ｆゆらぎを与えて、上記アナログ／デジタル変換特性を制御するプログラムが記録されていることを特徴とする請求項３１に記載の記録媒体。
【請求項３３】
発生された１／ｆゆらぎ信号に基づいて入力されたアナログ信号のサンプリング間隔に１／ｆゆらぎを与え、上記アナログ／ディジタル変換特性を制御するプログラムが記録されていることを特徴とする請求項３１に記載の記録媒体。
【発明の詳細な説明】
【０００１】
【発明の属する技術分野】
本発明は、オーディオ装置やビデオ装置等に用いて好適なディジタル信号再生装置及びディジタル信号再生方法に関し、特に、快適な音や映像を提供することが可能なディジタル信号再生装置、ディジタル信号再生方法、ディジタル信号記録装置、ディジタル信号記録方法及び記録媒体に関する。
【０００２】
【従来の技術】
我々を取りまく自然界は、風，光，温度等の他時間的にも空間的にもゆらいでいる。この自然界のゆらぎ自身が人工的なものでは与えられない快適性の一要素になっていて、最近では生体になじむゆらぎとして１／ｆゆらぎが注目されている。
【０００３】
１／ｆゆらぎを用いた電子機器としては、ＣＤ（Compact Disc）の再生音にホワイトノイズをＨＰＦ（High Pass Filter）を介して１／ｆゆらぎ特性に応じてイコライズされた信号を付加することが特開平２−１６０２９７号公報に開示されている。また、１／ｆゆらぎをビブラート効果を付加するパラメータ部を有することで音の周波数と大きさが快くゆらぐコーラス効果が付加されることが特開平４−２７５５９６号公報に開示されている。空間的ゆらぎを有する残響音を付加することが特開平４−２８０１９７号公報に開示されている。
【０００４】
また、特公平７−２８１７７号公報では、電流ゆらぎから得られる電圧変動に基づいて空調の温度，風量，あるいは風等のコントロールに利用することができることが開示されている。特開平７−２６２４０３号公報では、１／ｆゆらぎ特性を有する自然動画の合成について開示されている。特開平８−６５６２号公報では、ＣＤ再生信号を１／ｆゆらぎを有する音響信号に変換することが開示されている。
【０００５】
【発明が解決しようとする課題】
ところで、ＣＤ，ＤＶＣＲ（Digital Video Cassette Recoder），ＤＶＤ（Digital Video Disc）等の登場により、オーディオ信号やビデオ信号のディジタル化が進んでいる。ディジタル化は上述のゆらぎ（ノイズ）を排除することに大きな意味があるのだが、これにより特にオーディオマニアには音の膨らみがないとの批判もある。実際、クラシック音楽の音響のパワー変動や周波数変動も１／ｆゆらぎをしていることが知られている。
【０００６】
ディジタル化は、標本化や量子化をそれぞれサンプルホールド回路やＡ／Ｄ変換器により行うわけであるが、当然その幅や大きさは一定である。もちろん、ＡＤＰＣＭ（Adaptive Differencial Pulse Code Modulation）のように適応的に量子化幅を変化させる方式もあるが、決定された幅にはゆらぎが無い。
【０００７】
また、同一のマスターテープから取ったディジタル信号のＣＤとアナログ信号のＬＰレコードではＣＤの方が奥行き感がないとの評価があったり、１／ｆゆらぎの音楽が評判になっている。
【０００８】
本発明は、このような実情に鑑みてなされたものであり、標本化あるいは量子化という行為にゆらぎを取り入れることによりディジタルのふかみの無さを取り快適さを増加せしめるディジタル信号再生装置、ディジタル信号再生方法、ディジタル信号記録装置、ディジタル信号記録方法及び記録媒体を提供することを目的とする。
【０００９】
【課題を解決するための手段】
上述の課題を解決するために、本発明に係るディジタル信号再生装置は、１／ｆゆらぎ信号を発生するゆらぎ発生手段と、ディジタル信号を再生する再生系と、上記ディジタル信号をアナログ信号に変換するディジタル／アナログ変換手段とを備え、上記ディジタル／アナログ変換手段は、上記ゆらぎ発生手段で発生された１／ｆゆらぎ信号に基づいて、上記再生系で再生されたディジタル信号の量子化幅に１／ｆゆらぎを与えてディジタル／アナログ変換特性を制御することを特徴とする。
【００１０】
そして、上記ディジタル信号再生装置は、ディジタル化されたオーディオデータやビデオデータの振幅方向に１／ｆゆらぎ特性を与えることができ、深みがあってより自然に近い快適な音声や映像を得ることができる。
【００１１】
本発明に係るディジタル信号再生方法は、１／ｆゆらぎ信号を発生し、ディジタル信号を再生し、１／ｆゆらぎ信号に基づいて量子化幅に１／ｆゆらぎを与えることによって、ディジタル／アナログ変換特性を制御して上記再生されたディジタル信号をアナログ信号に変換することを特徴とする。
【００１２】
そして、上記ディジタル信号再生方法は、ディジタル化されたオーディオデータやビデオデータの振幅方向に１／ｆゆらぎ特性を与えることができ、深みがあってより自然に近い快適な音声や映像を得ることができる。
【００１３】
本発明に係るディジタル信号記録装置は、１／ｆゆらぎ信号を発生するゆらぎ発生手段と、発生された１／ｆゆらぎ信号に基づいて、アナログ信号の量子化幅に１／ｆゆらぎを与えてアナログ／ディジタル変換特性を制御して、アナログ信号をディジタル信号に変換するアナログ／ディジタル変換手段と、上記ディジタル信号を記録媒体に記録する記録系とを備えることを特徴とする。
【００１４】
そして、上記ディジタル信号記録装置は、１／ｆゆらぎ信号に基づいて、アナログ信号の量子化幅に１／ｆゆらぎを与えてアナログ／ディジタル変換特性を制御してアナログ信号をディジタル信号に変換して、自然に近い快適な音声や映像ゆらぎのあるディジタル信号を記録媒体に記録する。
【００１５】
本発明に係るディジタル信号記録方法は、１／ｆゆらぎ信号を発生し、発生された１／ｆゆらぎ信号に基づいて、アナログ信号の量子化幅に１／ｆゆらぎを与えてアナログ／ディジタル変換特性を制御して、アナログ信号をディジタル信号に変換し、上記ディジタル信号を記録媒体に記録することを特徴とする。
【００１６】
そして、上記ディジタル信号記録方法は、１／ｆゆらぎ信号に基づいて、アナログ信号の量子化幅に１／ｆゆらぎを与えてアナログ／ディジタル変換特性を制御して、アナログ信号をディジタル信号に変換して、自然に近い快適な音声や映像ゆらぎのあるディジタル信号を記録媒体に記録する。
【００１７】
本発明に係る記録媒体は、１／ｆゆらぎ信号を発生し、ディジタル信号を再生し、上記１／ｆゆらぎ信号に基づいて量子化幅に１／ｆゆらぎを与えてディジタル／アナログ変換特性を制御して上記再生されたディジタル信号をアナログ信号に変換するためのプログラムが記録されていることを特徴とする。
【００１８】
本発明に係る記録媒体は、１／ｆゆらぎ信号を発生し、発生された１／ｆゆらぎ信号に基づいてアナログ／ディジタル変換特性を制御して、アナログ信号をディジタル信号に変換し、変換されたディジタル信号を記録媒体に記録するためのプログラムが記録されていることを特徴とする。
【００１９】
【発明の実施の形態】
以下、本発明の実施の形態について、図面を参照しながら説明する。
【００２０】
本発明は、再生されたディジタル信号に対して時間軸方向及び／又は振幅方向に１／ｆゆらぎを与えてディジタル／アナログ変換して、快適な音声信号や映像信号を出力することができるようにしたものである。
【００２１】
本発明に係るディジタル信号再生装置１０は、例えば図１に示すように、記録媒体に記録されたディジタル信号を再生する再生系１１と、再生されたディジタル信号に所定の信号処理を施すディジタル信号処理回路１２と、Ｄ／Ａ変換器１３と、アパーチャ回路１４と、ノイズ成分をカットするローパスフィルタ１５と、信号を増幅するラインアンプ１６と、各回路にマスタークロックＭＣＫを供給するクロックジェネレータ１７と、ゆらぎ関数発生回路１８とを備える。
【００２２】
再生系１１は、例えば、磁気テープ，フロッピー（登録商標）ディスク，光ディスク等に記録されたディジタル信号を再生して、このディジタル信号をディジタル信号処理回路１２に供給する。ディジタル信号処理回路１２は、ディジタル信号に所定の信号処理を施してＤ／Ａ変換器１３に供給する。
【００２３】
Ｄ／Ａ変換器１３は、クロックジェネレータ１７からのマスタークロックＭＣＫで駆動し、ディジタル信号処理回路１２から供給されるディジタル信号を標本化されたアナログ信号に変換する。ここで、Ｄ／Ａ変換器１３は、図２に示すように、例えば０〜２５５の８ビットの量子化幅でディジタル信号をアナログ信号に変換するようになっている。この量子化幅は、設定部２３の設定に基づいて変更可能である。
【００２４】
アパーチャ回路１４は、クロックジェネレータ１７のマスタークロックＭＣＫで駆動し、Ｄ／Ａ変換器１３からの標本化されたアナログ信号をサンプリング間隔Ｔで出力するようになっている。サンプリング間隔Ｔは、上記設定部２３の設定に基づいて変更可能である。
【００２５】
ローパスフィルタ１５は、アパーチャ回路１４からのアナログ信号の高帯域のノイズ成分を除去して、ラインアンプ１６を介してアナログ信号を出力する。
【００２６】
ゆらぎ関数発生回路１８は、１／ｆゆらぎ，１／ｆ１．５ゆらぎ，自然界の１／ｆゆらぎ等の１／ｆゆらぎ信号を発生して、この１／ｆゆらぎ信号をスイッチ１９を介してＤ／Ａ変換器１３に供給する。また、ゆらぎ関数発生回路１８は、上記１／ｆゆらぎ信号を切換回路２０を介してアパーチャ回路１４又はクロックジェネレータ１７に供給する。なお、スイッチのオン／オフ、切換回路２０の切換設定はそれぞれ独立に行われるようになっている。
【００２７】
さらに、ゆらぎ関数発生回路１８は、設定部２４の設定に応じて１／ｆ２〜１／ｆの範囲内の１／ｆゆらぎ信号を発生したり、また、その１／ｆゆらぎ信号の出力レベルも調整できる。特に、１／ｆ１．５ゆらぎは、心地よいと感じる人が多く、好ましい。
【００２８】
以上のように構成されたディジタル信号再生装置１０において、最初に、スイッチ１９がオフで切換回路２０が端子ｂに設定される場合について説明する。
【００２９】
クロックジェネレータ１７は、ゆらぎ関数発生回路１８の１／ｆゆらぎ信号に基づいて１／ｆゆらぎの生じたマスタークロックＭＣＫを発生して、このマスタークロックＭＣＫをＤ／Ａ変換器１３，アパーチャ回路１４，ローパスフィルタ１５にそれぞれ供給する。
【００３０】
Ｄ／Ａ変換器１３は、通常の量子化幅Ａに振幅ゆらぎΔＡが生じた量子化幅（Ａ±ΔＡ）のアナログ信号に変換する。ここで、振幅ゆらぎΔＡは１／ｆゆらぎになっているので、Ｄ／Ａ変換器１３は、アナログ信号の振幅方向（パワー軸方向）に１／ｆゆらぎを与えることができる。
【００３１】
例えば、ディジタル信号の振幅値「１１００１００１ｂ」は、ディジタル／アナログ変換時に、１０進法で「２０１」であるものの、１／ｆゆらぎに応じて「２０１．４」になったり「２００．６」になったりする。
【００３２】
なお、振幅ゆらぎΔＡは、例えば、
ΔＡ＝±０．５ビット
である。但し、ユーザの好みに応じてこの値を変えてもよいのは勿論である。
【００３３】
アパーチャ回路１４は、通常のサンプリング間隔Ｔに時間ゆらぎΔＴが生じたサンプリング間隔（Ｔ±ΔＴ）で信号を出力するようになっている。ここで、時間ゆらぎΔＴは１／ｆゆらぎになっているので、アパーチャ回路１４は、アナログ信号の時間軸方向に１／ｆゆらぎを与えることができる。
【００３４】
なお、時間ゆらぎΔＴは、例えば
ΔＴ≒Ｔ／１０００〜Ｔ／１００
である。
【００３５】
つぎに、スイッチ１９がオフで切替回路２０を端子ａに設定されている場合では、Ｄ／Ａ変換器１３は、クロックジェネレータ１７により駆動され、アナログ信号の振幅にゆらぎを与えることなく出力する。一方、アパーチャ回路１４は、クロックジェネレータ１７からのマスタークロックＭＣＫに基づいて駆動され、さらにゆらぎ関数発生回路１８からの１／ｆゆらぎ信号が供給される。従って、アパーチャ回路１４は、上記１／ｆゆらぎ信号に基づいてサンプリング間隔Ｔにゆらぎを与えてアナログ信号を出力するようになっている。
【００３６】
スイッチ１９がオンで切換回路２０が端子ａに設定されている場合では、Ｄ／Ａ変換器１３及びアパーチャ回路１４には、ゆらぎ関数発生回路１８からの１／ｆゆらぎ信号が供給される。従って、Ｄ／Ａ変換器１３は、振幅ゆらぎΔＡにより量子化幅Ａに１／ｆゆらぎを与え、アパーチャ回路１４は、時間ゆらぎΔＴによりサンプリング間隔Ｔに１／ｆゆらぎを与えることができる。
【００３７】
また、上記ディジタル信号再生装置１０は、クラシック音楽の演奏等の１／ｆゆらぎや名画の１／ｆゆらぎ等のデータが記録されているゆらぎデータＲＯＭ（Read Only Memory）２１と、Ｄ／Ａ変換器１３で得られるアナログ信号の振幅電圧値を制御する振幅制御回路２２とを備える。
【００３８】
ゆらぎデータＲＯＭ２１は、測定対象から出てくるゆらぎの定常時系列をバンドパスフィルタ（周波数帯域幅Δｆ）を通して観測されたゆらぎデータが記録されている。例えば、自然界の川のせせらぎ音等の１／ｆゆらぎデータが記録されている。また、抵抗に直流電流を流したときに発生する端子電圧ゆらぎは１／ｆゆらぎになっていることが知られており、これをゆらぎデータとしてもよい。さらに、各人に合わせて、１／ｆ2〜１／ｆの範囲内のゆらぎデータを記録しておいてもよい。
【００３９】
振幅制御回路２２は、ゆらぎデータＲＯＭ２１のゆらぎデータに基づいてディジタル／アナログ変換時のアナログ信号の振幅電圧を制御する。従って、Ｄ／Ａ変換器１３は、クラシック音楽演奏時や川のせせらぎ等の１／ｆゆらぎをアナログ信号の振幅に与えて、快い音声信号や映像信号を出力することができる。
【００４０】
なお、Ｄ／Ａ変換器１３に供給されるディジタル信号が映像信号であるときは、輝度信号，色差信号の何れか一方又は両方に適用してもよい。
【００４１】
以上のように、本発明に係るディジタル信号再生装置１０は、ディジタル信号の振幅方向と時間方向の格子を歪ませることによって、各方向に１／ｆゆらぎが与えられた音声信号や映像信号を得ることができる。この１／ｆゆらぎは、ノイズ・ジェネレータで人工的に発生された１／ｆゆらぎに比べて極めて自然であるので、極めて快適な音声信号や映像信号を得ることができる。
【００４２】
例えば、実写とコンピュータ・グラフィックス（ＣＧ）からなる映画において、不自然な動きのするＣＧに上記１／ｆゆらぎを与えることで、実写とＣＧとを完全に融合させることができる。また、シンセサイザ等の電子楽器に本発明を適用して残響音やビブラートに１／ｆゆらぎを与えることで、自然な音声を出力することができる。
【００４３】
また、ユーザによって量子化幅や標本化周期を調整して１／ｆゆらぎを加えることができるので、従来の無機質なディジタル再生音に変えて、ユーザの好みに応じて重量感があって深みのあるディジタル再生音を実現することができる。
【００４４】
なお、ユーザは、記録媒体に記録されている所定のプログラムをインストールすることによって、上記ディジタル信号再生装置１０を上述のように制御することも可能である。ここで、所定のプログラムとは、１／ｆゆらぎ信号を発生し、ディジタル信号を再生し、上記１／ｆゆらぎ信号に基づいてディジタル／アナログ変換特性を制御して上記再生されたディジタル信号をアナログ信号に変換するためのプログラムである。
【００４５】
ここで、記録媒体に記録されているプログラムとしては、上記ディジタル／アナログ変換特性を制御するためには、例えば、ゆらぎ関数発生回路１８から発生された１／ｆゆらぎ信号に基づいて量子化幅に１／ｆゆらぎを与えたり、上記アナログ信号のサンプリング間隔に１／ｆゆらぎを与えたりするプログラムが好ましい。
【００４６】
一方、ディジタル信号記録装置３０は、例えば図３に示すように、ラインアンプ３１と、ローパスフィルタ３２と、サンプルホールド回路３３と、Ａ／Ｄ変換器３４と、ディジタル信号処理回路３５と、記録系３６と、クロックジェネレータ３７と、ゆらぎ関数発生回路３８とを備える。
【００４７】
ラインアンプ３１は、例えば音声信号や映像信号のアナログ信号が供給され、このアナログ信号を増幅してローパスフィルタ３２に供給する。ローパスフィルタ３２は、高帯域のノイズ成分の除去されたアナログ信号をサンプルホールド回路３３に供給する。
【００４８】
サンプルホールド回路３３は、アナログ信号を所定の周波数でサンプリングして標本化したアナログ信号をＡ／Ｄ変換器３４に供給する。Ａ／Ｄ変換器３４は、このアナログ信号の振幅値をディジタル信号に変換する。なお、サンプリングの周期や振幅値の量子化幅は、設定部４１の設定に応じて調整できるようになっている。
【００４９】
ディジタル信号処理回路３５は、Ａ／Ｄ変換器３４から供給されるアナログ信号に例えばホワイトバランス調整やガンマ補正等を施して記録系３６に供給する。記録系３６は、例えば磁気テープ，フロッピーディスク（登録商標），光ディスク等の記録媒体に上記ディジタル信号を記録するようになっている。
【００５０】
ここで、クロックジェネレータ３７は、所定のマスタークロックＭＣＫを発生して、ローパスフィルタ３２，サンプルホールド回路３３，Ａ／Ｄ変換器３４，記録系３６を駆動させるようになっている。
【００５１】
ゆらぎ関数発生回路３８は、上述のゆらぎ関数発生回路１８と同様の構成となっていて、１／ｆゆらぎ特性を有する１／ｆゆらぎ信号を発生する。なお、設定部４２の設定に応じて１／ｆ２〜１／ｆの範囲内の１／ｆゆらぎ信号を発生したり、また、その１／ｆゆらぎ信号の出力レベルを調節したりもできる。また、ゆらぎ関数発生回路３８は、１／ｆゆらぎ信号を、切換回路３９を介してサンプルホールド回路３３又はクロックジェネレータ３７に供給し、また、スイッチ４０を介してＡ／Ｄ変換器３４に供給する。なお、切換回路３９，スイッチ４０は、それぞれ独立に切り換え制御されるようになっている。
【００５２】
以上のように構成されたディジタル信号の記録装置において、例えば切換回路３９が端子ａに設定されスイッチ４０がオフに設定された場合では、ゆらぎ関数発生回路３８は、切換回路３９を介して１／ｆゆらぎ信号をクロックジェネレータ３７に供給する。クロックジェネレータ３７は、この１／ｆゆらぎ信号に基づいてマスタークロックＭＣＫに１／ｆゆらぎを与えて各回路に供給する。
【００５３】
サンプルホールド回路３３は、サンプリング周波数期間Ｔに時間ゆらぎΔＴを与えて入力されたアナログ信号にサンプリング処理を施す。すなわち、サンプルホールド回路３３は、入力されたアナログ信号の時間軸方向に１／ｆゆらぎを与えるようになっている。
【００５４】
Ａ／Ｄ変換器３４は、サンプルホールド回路３３でサンプリングされたアナログ信号の量子化幅Ａに振幅ゆらぎΔＡを与えて、アナログ信号をディジタル信号に変換する。すなわち、Ａ／Ｄ変換器３４は、アナログ信号の振幅方向（パワー軸方向）に１／ｆゆらぎを与えるようになっている。
【００５５】
また、切換回路３９が端子ｂに設定されてスイッチ４０がオフの場合では、サンプルホールド回路３３が、アナログ信号の時間軸方向に１／ｆゆらぎを与え、切換回路３９が端子ａ，ｂに設定されずスイッチ４０がオンの場合では、Ａ／Ｄ変換器３４が、アナログ信号の振幅方向に１／ｆゆらぎを与えるようになっている。
【００５６】
以上のように、ユーザによってアナログ信号の振幅の量子化幅やサンプリング周期を調整して１／ｆゆらぎを加えることができるので、従来の無機質なディジタル再生音に変えて、ユーザの好みに応じて重量感があって深みのあるようにディジタル信号を記録媒体に記録することができる。
【００５７】
また、映像信号の場合では、輝度信号，色差信号の何れか一方又は両方に１／ｆゆらぎを与えるようにしてもよい。
【００５８】
なお、ユーザは、記録媒体に記録されている所定のプログラムをインストールすることによって、上記ディジタル信号記録装置３０を上述のように制御することも可能である。ここで、所定のプログラムとは、１／ｆゆらぎ信号を発生し、発生した１／ｆゆらぎ信号に基づいてアナログ／ディジタル変換特性を制御して、アナログ信号をディジタル信号に変換し、変換されたディジタル信号を記録媒体に記録するためのプログラムである。
【００５９】
上記アナログ／ディジタル変換特性を制御するためには、例えば、ゆらぎ関数発生回路３８から発生された１／ｆゆらぎ信号に基づいて、上記アナログ信号の量子化幅に１／ｆゆらぎを与えたり、上記アナログ信号のサンプリング間隔に１／ｆゆらぎを与えたりするプログラムが好ましい。
【００６０】
また、本発明は、上述の実施の形態に限定されるものではなく、例えば通常のＰＣＭ（Pulse Code Modulation）だけでなく、ＡＤＰＣＭ（Adaptive Pulse Code Modulation），ＡＤＭ（Adaptive Delta Modulation）に適用することができるのは勿論である。
【００６１】
【発明の効果】
以上詳細に説明したように、本発明に係るディジタル信号再生装置によれば、ディジタル化されたオーディオデータやビデオデータの時間軸方向や振幅方向に１／ｆゆらぎ特性を与えることができ、深みがあってより自然に近い快適な音声や映像を得ることができる。
【００６２】
また、本発明に係るディジタル信号再生方法によれば、ディジタル化されたオーディオデータやビデオデータの時間軸方向や振幅方向に１／ｆゆらぎ特性を与えることができ、深みがあってより自然に近い快適な音声や映像を得ることができる。
【００６３】
本発明に係るディジタル信号記録装置によれば、アナログ／ディジタル変換手段が１／ｆゆらぎ信号に基づいて、アナログ信号の量子化幅に１／ｆゆらぎを与えてアナログ／ディジタル変換特性を制御して、アナログ信号をディジタル信号に変換することによって、深みがあってより自然に近い快適な音声や映像からなるディジタル信号を記録媒体に記録することができる。
【００６４】
本発明に係るディジタル信号記録方法によれば、１／ｆゆらぎ信号に基づいてアナログ信号の量子化幅に１／ｆゆらぎを与えてアナログ／ディジタル変換特性を制御してアナログ信号をディジタル信号に変換し、このディジタル信号を記録媒体に記録することによって、深みがあってより自然に近い快適な音声や映像からなるディジタル信号を記録媒体に記録することができる。
【００６５】
本発明に係る記録媒体によれば、１／ｆゆらぎ信号を発生し、ディジタル信号を再生し、上記１／ｆゆらぎ信号に基づいて量子化幅に１／ｆゆらぎを与えてディジタル／アナログ変換特性を制御して上記再生されたディジタル信号をアナログ信号に変換するためのプログラムを記録することによって、深みがあってより自然に近い快適な音声や映像を再生することができるようにディジタル信号再生装置を制御することができる。
【００６６】
本発明に係る記録媒体によれば、１／ｆゆらぎ信号を発生し、発生された１／ｆゆらぎ信号に基づいてアナログ／ディジタル変換特性を制御して、アナログ信号をディジタル信号に変換し、変換されたディジタル信号を記録媒体に記録するためのプログラムが記録されていることによって、深みがあってより自然に近い快適な音声や映像を得ることができるようにディジタル信号記録装置を制御することができる。
【図面の簡単な説明】
【図１】本発明に係るディジタル信号再生装置の具体的な構成を示すブロック図である。
【図２】ディジタル／アナログ変換する際の量子化幅と標本化周期Ｔの関係を示す図である。
【図３】本発明に係るディジタル信号記録装置の具体的な構成を示すブロック図である。
【符号の説明】
１１  再生系、１３  Ｄ／Ａ変換器、１４  アパーチャ回路、１８  ゆらぎ関数発生回路、２１  ゆらぎデータＲＯＭ、２２  振幅制御回路
【図１】
0004038844.tif 000002
【図２】
0004038844.tif 000003
【図３】
0004038844.tif 000004